(57)【要約】【課題】あるセルへのハンドオーバの直後に別のセルへのハンドオーバが発生する可能性を低減すること。【解決手段】本発明の一態様に係る基地局は、移動体通信の隣接セルにおける端末装置の滞在又は移動に関する予測情報に基づいて、上記隣接セルのためのオフセット値であって、上記端末装置による測定報告のために用いられる当該オフセット値を決定する決定部、を備える。【選択図】図４
2019201368.tif 000002
【特許請求の範囲】
【請求項１】
移動体通信の隣接セルにおける端末装置の滞在又は移動に関する予測情報に基づいて、前記隣接セルのためのオフセット値であって、前記端末装置による測定報告のために用いられる当該オフセット値を決定する決定部、
を備える基地局。
【請求項２】
前記予測情報は、前記隣接セルにおいて前記端末装置が滞在すると予測される時間を示す予測滞在時間情報である、請求項１に記載の基地局。
【請求項３】
前記決定部は、前記端末装置がより長い時間滞在すると予測される隣接セルについて前記オフセット値がより大きくなるように、複数の隣接セルの各々について、前記予測情報に基づいて前記オフセット値を決定する、請求項２に記載の基地局。
【請求項４】
前記予測情報は、前記隣接セルにおいて前記端末装置が移動すると予測される距離を示す予測移動距離情報である、請求項１に記載の基地局。
【請求項５】
前記決定部は、前記端末装置がより長い距離を移動すると予測される隣接セルについて前記オフセット値がより大きくなるように、複数の隣接セルの各々について、前記予測情報に基づいて前記オフセット値を決定する、請求項４に記載の基地局。
【請求項６】
前記予測情報は、前記端末装置の位置を示す位置情報を用いて得られる情報である、請求項１〜５のいずれか１項に記載の基地局。
【請求項７】
前記オフセット値は、前記隣接セルのためのｃｅｌｌ  Ｉｎｄｉｖｉｄｕａｌ  Ｏｆｆｓｅｔである、請求項１〜６のいずれか１項に記載の基地局。
【請求項８】
前記オフセット値を前記端末装置へ送信する通信処理部をさらに備える、請求項１〜７のいずれか１項に記載の基地局。
【請求項９】
移動体通信の隣接セルにおける端末装置の滞在又は移動に関する予測情報に基づいて、前記隣接セルのためのオフセット値であって、前記端末装置による測定報告のために用いられる当該オフセット値を決定すること、
を含む方法。
【請求項１０】
端末装置であって、
前記端末装置の位置を示す位置情報を取得する位置情報取得部と、
移動体通信の隣接セルにおける前記端末装置の滞在又は移動に関する予測情報に基づいて、前記隣接セルのためのオフセット値であって、前記端末装置による測定報告のために用いられる当該オフセット値を決定する基地局へ、前記位置情報を送信する通信処理部と、
を備え、
前記予測情報は、前記位置情報を用いて得られる情報である、
端末装置。
【発明の詳細な説明】
【技術分野】
【０００１】
本発明は、基地局、方法及び端末装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、ｅＮＢ（ｅｖｏｌｖｅｄ  Ｎｏｄｅ  Ｂ）は、ＵＥ（Ｕｓｅｒ  Ｅｑｕｉｐｍｅｎｔ）による測定報告のために用いられるＣＩＯ（Ｃｅｌｌ  Ｉｎｄｉｖｉｄｕａｌ  Ｏｆｆｓｅｔ）を当該ＵＥへ送信する（非特許文献１を参照）。あるセルのためのＣＩＯは、ＵＥが当該セルについての測定報告を行うか否かに影響し、その結果、当該セルへのハンドオーバを行うか否かに影響し得る。
【０００３】
例えば、特許文献１には、無線基地局が、無線端末のハンドオーバを制御するためのハンドオーバパラメータを、無線端末の移動速度を示す移動速度情報と関連付けて記憶し、自局に接続中の無線端末の移動速度を示す移動速度情報と関連付けられたハンドオーバパラメータを用いて、当該接続中の無線端末のハンドオーバを制御することが、記載されている。また、特許文献２には、無線基地局が、無線端末のハンドオーバを制御するためのハンドオーバパラメータを、自局の通信エリア内の位置を示す位置情報と関連付けて記憶し、自局に接続中の無線端末の位置を示す位置情報と関連付けられたハンドオーバパラメータを用いて、当該接続中の無線端末のハンドオーバを制御することが、記載されている。
【先行技術文献】
【特許文献】
【０００４】
【特許文献１】特許第５３６６８８８号公報
【特許文献２】特許第５４２２４９２号公報
【非特許文献】
【０００５】
【非特許文献１】３ＧＰＰ  ＴＳ  ３６．３３１  Ｖ１５．１．０  （２０１８−０３）    ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ  （Ｒｅｌｅａｓｅ  １５）
【発明の概要】
【発明が解決しようとする課題】
【０００６】
特許文献１及び特許文献２に開示されている技術では、ハンドオーバに失敗しないように（又はハンドオーバの直後にＲＬＦ（Ｒａｄｉｏ  Ｌｉｎｋ  Ｆａｉｌｕｒｅ）が生じないように）、無線端末の現在の位置又は移動速度が考慮されている。しかし、ハンドオーバの成功後（又はハンドオーバ直後のＲＬＦの回避後）に、無線端末が新たなセルにおいてどのような状況になるかまでは考慮されていない。そのため、あるセルへのハンドオーバが成功しても、当該ハンドオーバの直後に別のセルへのハンドオーバが発生し得る。
【０００７】
本発明の目的は、あるセルへのハンドオーバの直後に別のセルへのハンドオーバが発生する可能性を低減できる基地局、方法及び端末装置を提供することにある。
【課題を解決するための手段】
【０００８】
本発明の一態様に係る基地局は、移動体通信の隣接セルにおける端末装置の滞在又は移動に関する予測情報に基づいて、上記隣接セルのためのオフセット値であって、上記端末装置による測定報告のために用いられる当該オフセット値を決定する決定部、を備える。
【０００９】
本発明の一態様に係る方法は、移動体通信の隣接セルにおける端末装置の滞在又は移動に関する予測情報に基づいて、上記隣接セルのためのオフセット値であって、上記端末装置による測定報告のために用いられる当該オフセット値を決定すること、を含む。
【００１０】
本発明の一態様に係る端末装置は、上記端末装置の位置を示す位置情報を取得する位置情報取得部と、移動体通信の隣接セルにおける上記端末装置の滞在又は移動に関する予測情報に基づいて、上記隣接セルのためのオフセット値であって、上記端末装置による測定報告のために用いられる当該オフセット値を決定する基地局へ、上記位置情報を送信する通信処理部と、を備え、上記予測情報は、上記位置情報を用いて得られる情報である。
【発明の効果】
【００１１】
本発明によれば、あるセルへのハンドオーバの直後に別のセルへのハンドオーバが発生する可能性を低減することが可能になる。なお、本発明により、当該効果の代わりに、又は当該効果とともに、他の効果が奏されてもよい。
【図面の簡単な説明】
【００１２】
【図１】第１の実施形態に係るシステムの概略的な構成の一例を示す説明図である。
【図２】第１の実施形態に係る基地局の概略的な構成の例を示すブロック図である。
【図３】第１の実施形態に係る端末装置の概略的な構成の例を示すブロック図である。
【図４】第１の実施形態に係る処理の概略的な流れの例を説明するためのシーケンス図である。
【図５】端末装置の位置の例を説明するための説明図である。
【図６】端末装置の移動の予測の例を説明するための説明図である。
【図７】端末装置の移動の予測とセルへの出入りの例を説明するための説明図である。
【図８】第２の実施形態に係る基地局の概略的な構成の例を示すブロック図である。
【発明を実施するための形態】
【００１３】
以下、添付の図面を参照して本発明の実施形態を詳細に説明する。なお、本明細書及び図面において、同様に説明されることが可能な要素については、同一の符号を付することにより重複説明が省略され得る。
【００１４】
説明は、以下の順序で行われる。
１．第１の実施形態
１．１．システムの構成
１．２．基地局の構成
１．３．端末装置の構成
１．４．技術的特徴
２．第２の実施形態
２．１．基地局の構成
２．２．技術的特徴
【００１５】
＜＜１．第１の実施形態＞＞
図１〜図７を参照して、本発明の第１の実施形態を説明する。
【００１６】
＜１．１．システムの構成＞
図１は、第１の実施形態に係るシステム１の概略的な構成の一例を示す説明図である。図１を参照すると、システム１は、基地局１００及び端末装置２００を含む。
【００１７】
図１には、４つの基地局１００（基地局１００−０、１００−１、１００−２、１００−３）が示されているが、当然ながら、システム１は、３つ以下の基地局１００を含んでもよく、５つ以上の基地局１００を含んでもよい。また、図１には、１つの端末装置２００が示されているが、当然ながら、システム１は、２つ以上の端末装置２００を含んでもよい。
【００１８】
例えば、システム１は、３ＧＰＰの規格（ｓｔａｎｄａｒｄ）／技術仕様（ｔｅｃｈｎｉｃａｌ  ｓｐｅｃｉｆｉｃａｔｉｏｎ）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００１９】
（１）基地局１００
基地局１００は、無線アクセスネットワーク（Radio  Access  Network：ＲＡＮ）のノードであり、自らのセルＣ内に位置する端末装置（例えば、端末装置２００）と通信する。例えば、基地局１００−０は、セルＣ０内に位置する端末装置と通信し、基地局１００−１は、セルＣ１内に位置する端末装置と通信し、基地局１００−２は、セルＣ２内に位置する端末装置と通信し、基地局１００−３は、セルＣ３内に位置する端末装置と通信する。
【００２０】
図１には、説明を簡単にするため、基地局１００が１つのセルを構成している例示されているが、当然ながら第１の実施形態はこの例に限定されない。基地局１００は、複数のセルを構成してもよい。
【００２１】
例えば、基地局１００は、ｅＮＢであってもよく、又は、５ＧのｇＮＢであってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００２２】
（２）端末装置２００
端末装置２００は、基地局１００と通信する。例えば、端末装置２００は、セルＣ０内に位置し、基地局１００−０と通信する。
【００２３】
例えば、端末装置２００は、ＵＥである。
【００２４】
＜１．２．基地局の構成＞
図２は、第１の実施形態に係る基地局１００の概略的な構成の例を示すブロック図である。図２を参照すると、基地局１００は、無線通信部１１０、ネットワーク通信部１２０、記憶部１３０及び処理部１４０を備える。
【００２５】
（１）無線通信部１１０
無線通信部１１０は、信号を無線で送受信する。例えば、無線通信部１１０は、端末装置からの信号を受信し、端末装置への信号を送信する。
【００２６】
（２）ネットワーク通信部１２０
ネットワーク通信部１２０は、ネットワークから信号を受信し、ネットワークへ信号を送信する。
【００２７】
（３）記憶部１３０
記憶部１３０は、基地局１００の動作のためのプログラム（命令）及びパラメータ、並びに様々なデータを、一時的に又は恒久的に記憶する。当該プログラムは、基地局１００の動作のための１つ以上の命令を含む。
【００２８】
（４）処理部１４０
処理部１４０は、基地局１００の様々な機能を提供する。処理部１４０は、第１通信処理部１４１、第２通信処理部１４３、決定部１４５を含む。なお、処理部１４０は、これらの構成要素以外の他の構成要素をさらに含み得る。即ち、処理部１４０は、これらの構成要素の動作以外の動作も行い得る。第１通信処理部１４１、第２通信処理部１４３及び決定部１４５の具体的な動作は、後に詳細に説明する。
【００２９】
例えば、処理部１４０（第１通信処理部１４１）は、無線通信部１１０を介して端末装置（例えば、端末装置２００）と通信する。例えば、処理部１４０（第２通信処理部１４３）は、ネットワーク通信部１２０を介して他のネットワークノード（例えば、他の基地局）と通信する。
【００３０】
（５）実装例
無線通信部１１０は、アンテナ及び高周波（Ｒａｄｉｏ  Ｆｒｅｑｕｅｎｃｙ：ＲＦ）回路等により実装されてもよく、当該アンテナは、指向性アンテナであってもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Ｂａｓｅｂａｎｄ：ＢＢ）プロセッサ及び／又は他の種類のプロセッサ等の１つ以上のプロセッサにより実装されてもよい。第１通信処理部１４１、第２通信処理部１４３及び決定部１４５は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００３１】
基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（第１通信処理部１４１、第２通信処理部１４３及び／又は決定部１４５の動作）を行ってもよい。上記プログラムは、処理部１４０の動作（第１通信処理部１４１、第２通信処理部１４３及び／又は決定部１４５の動作）をプロセッサに実行させるためのプログラムであってもよい。
【００３２】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００３３】
＜１．３．端末装置の構成＞
図３は、第１の実施形態に係る端末装置２００の概略的な構成の例を示すブロック図である。図３を参照すると、端末装置２００は、無線通信部２１０、記憶部２２０及び処理部２３０を備える。
【００３４】
（１）無線通信部２１０
無線通信部２１０は、信号を無線で送受信する。例えば、無線通信部２１０は、基地局からの信号を受信し、基地局への信号を送信する。
【００３５】
（２）記憶部２２０
記憶部２２０は、端末装置２００の動作のためのプログラム（命令）及びパラメータ、並びに様々なデータを、一時的に又は恒久的に記憶する。当該プログラムは、端末装置２００の動作のための１つ以上の命令を含む。
【００３６】
（３）処理部２３０
処理部２３０は、端末装置２００の様々な機能を提供する。処理部２３０は、通信処理部２３１、位置情報取得部２３３、測定部２３５及び判定部２３７を含む。なお、処理部２３０は、これらの構成要素以外の他の構成要素をさらに含み得る。即ち、処理部２３０は、これらの構成要素の動作以外の動作も行い得る。通信処理部２３１、位置情報取得部２３３、測定部２３５及び判定部２３７の具体的な動作は、後に詳細に説明する。
【００３７】
例えば、処理部２３０（通信処理部２３１）は、無線通信部２１０を介して基地局（例えば、基地局１００）と通信する。
【００３８】
（４）実装例
無線通信部２１０は、アンテナ及び高周波（ＲＦ）回路等により実装されてもよい。記憶部２２０は、メモリ（例えば、不揮発性メモリ及び／若しくは揮発性メモリ）並びに／又はハードディスク等により実装されてもよい。処理部２３０は、ベースバンド（ＢＢ）プロセッサ及び／又は他の種類のプロセッサ等の１つ以上のプロセッサにより実装されてもよい。通信処理部２３１、位置情報取得部２３３、測定部２３５及び判定部２３７は、同一のプロセッサにより実装されてもよく、別々に異なるプロセッサにより実装されてもよい。上記メモリ（記憶部２２０）は、上記１つ以上のプロセッサ内に含まれていてもよく、又は、上記１つ以上のプロセッサ外にあってもよい。一例として、処理部２３０は、ＳｏＣ（Ｓｙｓｔｅｍ  ｏｎ  Ｃｈｉｐ）内で実装されてもよい。
【００３９】
端末装置２００は、プログラム（命令）を記憶するメモリと、当該プログラム（命令）を実行可能な１つ以上のプロセッサとを含んでもよい。当該１つ以上のプロセッサは、上記プログラムを実行して、処理部２３０の動作（通信処理部２３１、位置情報取得部２３３、測定部２３５及び／又は判定部２３７の動作）を行ってもよい。上記プログラムは、処理部２３０の動作（通信処理部２３１、位置情報取得部２３３、測定部２３５及び／又は判定部２３７の動作）をプロセッサに実行させるためのプログラムであってもよい。
【００４０】
＜１．４．技術的特徴＞
図４〜図７を参照して、第１の実施形態の技術的特徴を説明する。
【００４１】
（１）オフセット値の決定
基地局１００（決定部１４５）は、移動体通信の隣接セルにおける端末装置２００の滞在又は移動に関する予測情報に基づいて、上記隣接セルのためのオフセット値であって、端末装置２００による測定報告のために用いられる当該オフセット値を決定する。
【００４２】
例えば、基地局１００（決定部１４５）は、複数の隣接セルの各々について、上記予測情報に基づいて上記オフセット値を決定する。
【００４３】
（１−１）隣接セル
端末装置２００が接続されている基地局１００のセルＣが、端末装置２００にとってのサービングセルであり、上記隣接セルは、当該サービングセルの隣接セルである。具体的には、上記隣接セルは、端末装置２００のハンドオーバのターゲットセルとして選択され得るセル候補を意味する。
【００４４】
基地局１００（記憶部１３０）は、自らのセルＣの隣接セルを記憶する。例えば、基地局１００−０は、自らのセルＣ０の隣接セルとして、セルＣ１、セルＣ２及びセルＣ３を記憶する。隣接セルは、基地局１００の設定ファイルとして予め記憶されてもよく、又は、ＳＯＮ（Ｓｅｌｆ  Ｏｒｇａｎｉｚｉｎｇ  Ｎｅｔｗｏｒｋ）機能などにより自動で設定されてもよい。なお、ＳＯＮ機能などにより自動で設定された隣接セルについては、後述のＣＩＯｄｅｆ（Ｃｉ）及びＷ（Ｃｋ）は、固定のデフォルト値が設定され得る。
【００４５】
さらに、例えば、基地局１００（記憶部１３０）は、自らのセルＣの隣接セルのセルエリアを記憶する。当該セルエリアは、基地局１００の設定ファイルとして予め記憶されてもよく、又は、上記隣接セルを構成する基地局の位置情報及び送信電力等から予測されてもよい。
【００４６】
（１−２）オフセット値
例えば、上記オフセット値は、上記隣接セルのためのｃｅｌｌ  Ｉｎｄｉｖｉｄｕａｌ  Ｏｆｆｓｅｔ（ＣＩＯ）である。
【００４７】
（１−３）予測情報
−予測滞在時間情報
例えば、上記予測情報は、上記隣接セルにおいて上記端末装置が滞在すると予測される時間を示す予測滞在時間情報である。
【００４８】
例えば、基地局１００（決定部１４５）は、端末装置２００がより長い時間滞在すると予測される隣接セルについて上記オフセット値がより大きくなる（即ち、測定報告が行われやすくなる）ように、上記複数の隣接セルの各々について、上記予測情報に基づいて上記オフセット値を決定する。
【００４９】
これにより、例えば、端末装置２００がより長い時間滞在すると予測される隣接セルに端末装置２００がハンドオーバされる可能性を高めることができる。その結果、ハンドオーバの直後に別のハンドオーバが発生する可能性が低くなり得る。
【００５０】
−予測移動距離情報
あるいは、上記予測情報は、上記隣接セルにおいて端末装置２００が移動すると予測される距離を示す予測移動距離情報であってもよい。
【００５１】
基地局１００（決定部１４５）は、端末装置２００がより長い距離を移動すると予測される隣接セルについて上記オフセット値がより大きくなる（即ち、測定報告が行われやすくなる）ように、上記複数の隣接セルの各々について、上記予測情報に基づいて上記オフセット値を決定してもよい。
【００５２】
これにより、例えば、端末装置２００がより長い距離を移動すると予測される隣接セルに端末装置２００がハンドオーバされる可能性を高めることができる。その結果、ハンドオーバの直後に別のハンドオーバが発生する可能性が低くなり得る。
【００５３】
−位置情報の利用
例えば、端末装置２００（位置情報取得部２３３）は、端末装置２００の位置を示す位置情報を取得する。そして、端末装置２００（通信処理部２３１）は、上記位置情報を基地局１００へ送信する。例えば、端末装置２００（通信処理部２３１）は、上記位置情報を含むＲＲＣ（Ｒａｄｉｏ  Ｒｅｓｏｕｒｃｅ  Ｃｏｎｔｒｏｌ）メッセージを基地局１００へ送信する。
【００５４】
基地局１００（第１通信処理部１４１、記憶部１３０）は、上記位置情報を受信し、上記位置情報を記憶する。
【００５５】
上記予測情報は、上記位置情報を用いて得られる情報である。
【００５６】
当然ながら、上記予測情報は、上記予測滞在時間情報及び上記予測移動距離情報に限定されない。上記予測情報は、上記隣接セルにおける端末装置２００の滞在又は移動に関する他の予測情報であってもよい。
【００５７】
（２）オフセット値の送信
基地局１００（第１通信処理部１４１）は、上記オフセット値を端末装置２００へ送信する。例えば、基地局１００（第１通信処理部１４１）は、上記オフセット値を含むＲＲＣメッセージを端末装置２００へ送信する。
【００５８】
（３）動作の具体例
図４は、第１の実施形態に係る処理の概略的な流れの例を説明するためのシーケンス図である。この例における基地局１００（端末装置２００が接続されている基地局１００）は基地局１００−０である。
【００５９】
−Ｓ３０１
３ＧＰＰ  ＴＳ  ３６．３３１  Ｖ１５．１．０（非特許文献１）に説明される一般的な動作として、端末装置２００は、基地局１００−０とのＲＲＣ接続を確立し、基地局１００−０とＲＲＣメッセージの送受信を可能な状態になる。
【００６０】
端末装置２００及び基地局１００−０は、Ｓ３０３からＳ３１７を所定のタイミングで繰り返す。
【００６１】
−Ｓ３０３
端末装置２００（位置情報取得部２３３）は、端末装置２００の位置を示す位置情報を取得する。一例として、端末装置２００（位置情報取得部２３３）は、ＧＰＳ（Ｇｌｏｂａｌ  Ｐｏｓｉｔｉｏｎｉｎｇ  Ｓｙｓｔｅｍ）を用いて上記位置を測定することにより、上記位置情報を取得する。例えば、上記位置情報は、緯度と経度との組合せで表現される。
【００６２】
図５は、端末装置２００の位置の例を説明するための説明図である。図５を参照すると、例えば、端末装置２００（位置情報取得部２３３）は、時刻Ｔ１で位置Ｐ１を測定し、位置Ｐ１を示す第１の位置情報を取得する。さらに、端末装置２００（位置情報取得部２３３）は、時刻Ｔ２で位置Ｐ２を測定し、位置Ｐ２を示す第２の位置情報を取得する。
【００６３】
−Ｓ３０５
端末装置２００（通信処理部２３１）は、上記位置情報を基地局１００−０へ送信する。端末装置２００（通信処理部２３１）は、さらに、上記位置情報に加えて、上記位置情報が取得された時刻を示す時刻情報も、基地局１００−０へ送信する。例えば、端末装置２００（通信処理部２３１）は、上記位置情報及び上記時刻情報を含むＲＲＣメッセージを、基地局１００−０へ送信する。
【００６４】
３ＧＰＰ  ＴＳ  ３６．３３１  Ｖ１５．１．０（非特許文献１）には、上記位置情報を基地局１００−０へ送信するための情報要素は定義されていない。例えば、ＲＲＣメッセージに、上記位置情報を送信するための新たな情報要素が追加される。
【００６５】
ＲＲＣメッセージの代りに、他の直接的又は間接的な手法により、端末装置２００は、上記位置情報を基地局１００−０へ送信してもよい。
【００６６】
基地局１００−０（第１通信処理部１４１）は、上記位置情報及び上記時刻情報を受信する。
【００６７】
−Ｓ３０７
基地局１００−０（記憶部１３０）は、上記位置情報及び上記時刻情報を記憶する。
【００６８】
−Ｓ３０９
基地局１００−０（決定部１４５）は、異なる時刻での位置情報から、端末装置２００の移動を予測する。例えば、基地局１００−０（決定部１４５）は、時刻Ｔ１の位置Ｐ１と時刻Ｔ２の位置Ｐ２とから、端末装置２００の移動を予測する。
【００６９】
図６は、端末装置２００の移動の予測の例を説明するための説明図である。図６に示されるように、例えば、端末装置２００は、位置Ｐ１と位置Ｐ２の延長線上で、位置Ｐ１から位置Ｐ２への移動の速度と同じ速度で移動すると予測される。
【００７０】
なお、端末装置２００の予測される移動は、図６に示されるような直線的な移動に限られず、曲線的な移動であってもよい。
【００７１】
−Ｓ３１１
基地局１００−０（決定部１４５）は、隣接セルとして記憶されているセルＣについて、当該セルのセルエリアと、端末装置２００の予測された移動とから、端末装置２００が当該セルＣに入る時刻ＥＴｉｎ（Ｃ）と、端末装置２００が当該セルから出る時刻ＥＴｏｕｔ（Ｃ）とを予測する。
【００７２】
図７は、端末装置２００の移動の予測とセルへの出入りの例を説明するための説明図である。図７の例でも、図６を参照して説明したように、端末装置２００は、位置Ｐ１と位置Ｐ２の延長線上で、位置Ｐ１から位置Ｐ２への移動の速度と同じ速度で移動すると予測される。この予測によれば、端末装置２００は、位置Ｐ３でセルＣ１に入り、位置Ｐ４でセルＣ２から出る。そのため、基地局１００−０（決定部１４５）は、端末装置２００が位置Ｐ３に到達する時刻を、端末装置２００がセルＣ１に入る時刻ＥＴｉｎ（Ｃ１）として予測する。また、基地局１００−０（決定部１４５）は、端末装置２００が位置Ｐ４に到達する時刻を、端末装置２００がセルＣ１から出る時刻ＥＴｏｕｔ（Ｃ１）として予測する。
【００７３】
時刻ＥＴｏｕｔ（Ｃ１）と時刻ＥＴｉｎ（Ｃ１）との差分が、セルＣ１において端末装置２００が滞在すると予測される時間（即ち、予測滞在時間情報）となる。
【００７４】
同様に、基地局１００−０（決定部１４５）は、セルＣ２及びセルＣ３についても、ＥＴｉｎ（Ｃ２）、ＥＴｉｎ（Ｃ３）、ＥＴｏｕｔ（Ｃ２）及びＥＴｏｕｔ（Ｃ３）を予測する。時刻ＥＴｏｕｔ（Ｃ２）と時刻ＥＴｉｎ（Ｃ２）との差分が、セルＣ２において端末装置２００が滞在すると予測される時間（即ち、予測滞在時間情報）となり、時刻ＥＴｏｕｔ（Ｃ３）と時刻ＥＴｉｎ（Ｃ３）との差分が、セルＣ３において端末装置２００が滞在すると予測される時間（即ち、予測滞在時間情報）となる。
【００７５】
−Ｓ３１３
基地局１００−０（決定部１４５）は、以下の式を用いて、隣接セルであるセルＣｉ（ｉ＝１，２，３）のためのＣＩＯを算出する。
【００７６】
【数１】
2019201368.tif 000003
【００７７】
ＣＩＯｄｅｆ（Ｃｉ）は、（端末装置２００の移動に関わらず）Ｃｉに設定されているデフォルトのＣＩＯである。この値は予め設定される。
【００７８】
Ｑ（Ｃ０）は、セルＣ０において端末装置２００の移動を考慮して加算するＣＩＯの合計値である。この値は予め設定される。
【００７９】
Ｗ（Ｃｋ）（ｋ＝１，２，３）は、全ての隣接セルの中での隣接セルＣｋの重みである。この値は予め設定される。各隣接セルに重みＷ（Ｃｋ）を設定することにより、例えば図１に示すような、スモールセルＣ１、Ｃ２とマクロセルＣ３とが混在した場合でも、マクロセルＣ３のためのＣＩＯを過度に大きくすることなく、各セルのためのＣＩＯを適切に算出することができる。
【００８０】
ｆ（ＥＴｉｎ（Ｃｋ），ＥＴｏｕｔ（Ｃｋ））（ｋ＝１，２，３）は、端末装置２００が当該セルＣｋに入る時刻ＥＴｉｎ（Ｃｋ）と、端末装置２００が当該セルから出る時刻ＥＴｏｕｔ（Ｃｋ）とを引数として用いる関数であり、以下のように表される。
【００８１】
【数２】
2019201368.tif 000004
【００８２】
ＥＴｏｕｔ（Ｃｋ）−ＥＴｉｎ（Ｃｋ）は、セルＣｋにおいて端末装置２００が滞在すると予測される時間（即ち、予測滞在時間情報）となる。
【００８３】
ＥＴ０は、セルＣｋについてのＣＩＯを算出するための基準となる所定値である。
【００８４】
最終的に、基地局１００−０（決定部１４５）は、ＲＲＣメッセージにおけるｃｅｌｌＩｎｄｉｖｉｄｕａｌＯｆｆｓｅｔのとり得る値（具体的にはＱ−ＯｆｆｓｅｔＲａｎｇｅのとり得る値）のうち、算出されたＣＩＯ（Ｃｋ）に最も近い値を、セルＣｋのＣＩＯとして選択する。このように、セルＣｋのＣＩＯが決定される。
【００８５】
−Ｓ３１５
基地局１００（第１通信処理部１４１）は、セルＣ１、Ｃ２、Ｃ３の各々のＣＩＯを、ＲＲＣメッセージ内の情報要素ｃｅｌｌＩｎｄｉｖｉｄｕａｌＯｆｆｓｅｔに設定し、当該ＲＲＣメッセージを端末装置２００へ送信する。
【００８６】
−Ｓ３１７
端末装置２００（判定部２３７）は、測定報告（ｍｅａｓｕｒｅｍｅｎｔ  ｒｅｐｏｒｔｉｎｇ）のイベントの条件に、セルＣ１、Ｃ２、Ｃ３の各々のＣＩＯを適用する。
【００８７】
具体的には、例えば、端末装置２００（測定部２３５）は、セルＣｋについての測定を行う。そして、端末装置２００（判定部２３７）は、セルＣｋについての測定値とＣＩＯとに基づいて、測定報告のイベント（例えば、Ｅｖｅｎｔ  Ａ３、Ｅｖｅｎｔ  Ａ４、Ｅｖｅｎｔ  Ａ５、及び／又はＥｖｅｎｔ  Ａ６）の条件が満たされているかを判定する。例えば、上記ＣＩＯは、上記測定値に足し合わされる。上記測定値は、例えば、ＲＳＲＰ（Ｒｅｆｅｒｅｎｃｅ  Ｓｉｇｎａｌ  Ｒｅｃｅｉｖｅｄ  Ｐｏｗｅｒ）又はＲＳＲＱ（Ｒｅｆｅｒｅｎｃｅ  Ｓｉｇｎａｌ  Ｒｅｃｅｉｖｅｄ  Ｑｕａｌｉｔｙ）である。
【００８８】
なお、イベントがトリガされると、端末装置２００（通信処理部２３１）は、測定報告（ｍｅａｓｕｒｅｍｅｎｔ  ｒｅｐｏｒｔ）を基地局１００へ送信する。
【００８９】
このようなＣＩＯを用いることにより、例えば、あるセルへのハンドオーバの直後に別のセルへのハンドオーバが発生する可能性を低減することができる。具体的には、例えば、セルＣ０からセルＣ２へのハンドオーバの直後にセルＣ２からセルＣ１へのハンドオーバが発生する可能性が低くなり、セルＣ０からセルＣ１（即ち適切なセル）への直接のハンドオーバが発生する可能性が高くなる。
【００９０】
＜＜２．第２の実施形態＞＞
図８を参照して、第２の実施形態を説明する。上述した第１の実施形態は、具体的な実施形態であるが、第２の実施形態は、より一般化された実施形態である。
【００９１】
＜２．１．基地局の構成＞
図８は、第２の実施形態に係る基地局４００の概略的な構成の例を示すブロック図である。図８を参照すると、基地局４００は、決定部４１０を備える。決定部４１０の具体的な動作は後に説明する。
【００９２】
決定部４１０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【００９３】
基地局１００は、プログラム（命令）を記憶するメモリと、当該プログラム（命令）を実行可能な１つ以上のプロセッサとを含んでもよい。当該１つ以上のプロセッサは、上記プログラムを実行して、決定部４１０の動作を行ってもよい。上記プログラムは、決定部４１０の動作をプロセッサに実行させるためのプログラムであってもよい。
【００９４】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００９５】
＜２．２．技術的特徴＞
第２の実施形態の技術的特徴を説明する。
【００９６】
基地局４００（決定部４１０）は、移動体通信の隣接セルにおける端末装置の滞在又は移動に関する予測情報に基づいて、上記隣接セルのためのオフセット値であって、端末装置による測定報告のために用いられる当該オフセット値を決定する。
【００９７】
例えば、基地局４００（決定部４１０）は、複数の隣接セルの各々について、上記予測情報に基づいて上記オフセット値を決定する。
【００９８】
隣接セル、オフセット値及び予測情報についての説明は、例えば、第１の実施形態におけるこれらについての説明と同じである。よって、ここでは重複する説明を省略する。ただし、第２の実施形態はこの例に限定されない。
【００９９】
また、オフセット値の送信及び動作の具体例についての説明も、例えば、第１の実施形態におけるこれらについての説明と同じである。よって、ここでは重複する説明を省略する。ただし、第２の実施形態はこの例に限定されない。
【０１００】
これにより、例えば、ハンドオーバの直後に別のハンドオーバが発生する可能性が低くなる。
【０１０１】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１０２】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１０３】
また、本明細書において説明した基地局の構成要素（例えば、第１通信処理部、第２通信処理部及び／又は決定部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、通信処理部、位置情報取得部、測定部及び／又は判定部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１０４】
上記実施形態の一部又は全部は、以下の付記のようにも記載され得るが、以下には限られない。
【０１０５】
（付記１）
移動体通信の隣接セルにおける端末装置の滞在又は移動に関する予測情報に基づいて、前記隣接セルのためのオフセット値であって、前記端末装置による測定報告のために用いられる当該オフセット値を決定する決定部、
を備える基地局。
【０１０６】
（付記２）
前記予測情報は、前記隣接セルにおいて前記端末装置が滞在すると予測される時間を示す予測滞在時間情報である、付記１に記載の基地局。
【０１０７】
（付記３）
前記決定部は、前記端末装置がより長い時間滞在すると予測される隣接セルについて前記オフセット値がより大きくなるように、複数の隣接セルの各々について、前記予測情報に基づいて前記オフセット値を決定する、付記２に記載の基地局。
【０１０８】
（付記４）
前記予測情報は、前記隣接セルにおいて前記端末装置が移動すると予測される距離を示す予測移動距離情報である、付記１に記載の基地局。
【０１０９】
（付記５）
前記決定部は、前記端末装置がより長い距離を移動すると予測される隣接セルについて前記オフセット値がより大きくなるように、複数の隣接セルの各々について、前記予測情報に基づいて前記オフセット値を決定する、付記４に記載の基地局。
【０１１０】
（付記６）
前記予測情報は、前記端末装置の位置を示す位置情報を用いて得られる情報である、付記１〜５のいずれか１項に記載の基地局。
【０１１１】
（付記７）
前記オフセット値は、前記隣接セルのためのｃｅｌｌ  Ｉｎｄｉｖｉｄｕａｌ  Ｏｆｆｓｅｔである、付記１〜６のいずれか１項に記載の基地局。
【０１１２】
（付記８）
前記オフセット値を前記端末装置へ送信する通信処理部をさらに備える、付記１〜７のいずれか１項に記載の基地局。
【０１１３】
（付記９）
前記通信処理部は、前記オフセット値を含むＲＲＣ（Ｒａｄｉｏ  Ｒｅｓｏｕｒｃｅ  Ｃｏｎｔｒｏｌ）メッセージを前記端末装置へ送信する、付記８に記載の基地局。
【０１１４】
（付記１０）
移動体通信の隣接セルにおける端末装置の滞在又は移動に関する予測情報に基づいて、前記隣接セルのためのオフセット値であって、前記端末装置による測定報告のために用いられる当該オフセット値を決定すること、
を含む方法。
【０１１５】
（付記１１）
移動体通信の隣接セルにおける端末装置の滞在又は移動に関する予測情報に基づいて、前記隣接セルのためのオフセット値であって、前記端末装置による測定報告のために用いられる当該オフセット値を決定すること、
をプロセッサに実行させるプログラム。
【０１１６】
（付記１２）
移動体通信の隣接セルにおける端末装置の滞在又は移動に関する予測情報に基づいて、前記隣接セルのためのオフセット値であって、前記端末装置による測定報告のために用いられる当該オフセット値を決定すること、
をプロセッサに実行させるプログラムを記録したコンピュータに読み取り可能な非一時的記録媒体。
【０１１７】
（付記１３）
端末装置であって、
前記端末装置の位置を示す位置情報を取得する位置情報取得部と、
移動体通信の隣接セルにおける前記端末装置の滞在又は移動に関する予測情報に基づいて、前記隣接セルのためのオフセット値であって、前記端末装置による測定報告のために用いられる当該オフセット値を決定する基地局へ、前記位置情報を送信する通信処理部と、
を備え、
前記予測情報は、前記位置情報を用いて得られる情報である、
端末装置。
【０１１８】
（付記１４）
端末装置の位置を示す位置情報を取得することと、
移動体通信の隣接セルにおける前記端末装置の滞在又は移動に関する予測情報に基づいて、前記隣接セルのためのオフセット値であって、前記端末装置による測定報告のために用いられる当該オフセット値を決定する基地局へ、前記位置情報を送信することと、
を含み、
前記予測情報は、前記位置情報を用いて得られる情報である、
方法。
【０１１９】
（付記１５）
端末装置の位置を示す位置情報を取得することと、
移動体通信の隣接セルにおける前記端末装置の滞在又は移動に関する予測情報に基づいて、前記隣接セルのためのオフセット値であって、前記端末装置による測定報告のために用いられる当該オフセット値を決定する基地局へ、前記位置情報を送信することと、
をプロセッサに実行させるプログラムであり、
前記予測情報は、前記位置情報を用いて得られる情報である、
プログラム。
【０１２０】
（付記１６）
端末装置の位置を示す位置情報を取得することと、
移動体通信の隣接セルにおける前記端末装置の滞在又は移動に関する予測情報に基づいて、前記隣接セルのためのオフセット値であって、前記端末装置による測定報告のために用いられる当該オフセット値を決定する基地局へ、前記位置情報を送信することと、
をプロセッサに実行させるプログラムを記録したコンピュータに読み取り可能な非一時的記録媒体であり、
前記予測情報は、前記位置情報を用いて得られる情報である、
コンピュータに読み取り可能な非一時的記録媒体。
【産業上の利用可能性】
【０１２１】
移動体通信システムにおいて、あるセルへのハンドオーバの直後に別のセルへのハンドオーバが発生する可能性を低減できる。
【符号の説明】
【０１２２】
１                      システム
１００、４００          基地局
１４１                  第１通信処理部
１４５、４１０          決定部
２００                  端末装置
２３１                  通信処理部
２３３                  位置情報取得部
Ｃ０、Ｃ１、Ｃ２、Ｃ３  セル
Ｐ１、Ｐ２、Ｐ３、Ｐ４  位置
【図１】
2019201368.tif 000005
【図２】
2019201368.tif 000006
【図３】
2019201368.tif 000007
【図４】
2019201368.tif 000008
【図５】
2019201368.tif 000009
【図６】
2019201368.tif 000010
【図７】
2019201368.tif 000011
【図８】
2019201368.tif 000012